(57)【要約】      （修正有）【課題】簡単に商品購入ができる商品購入決済システムを提供する。【解決手段】オンラインショッピングのサービスを提供する店舗サーバと、クレジット決済のサービスを提供する決済サーバと、決済サーバと店舗サーバからのサービスを通信回線により受けるユーザの携帯端末とから成り、これら店舗サーバと決済サーバとユーザの携帯端末とは通信回線でネットワーク化され、ユーザが携帯端末にて、決済サーバからクレジットカード用アカウントと、店舗サーバから店舗用アカウントとを取得して、店舗サーバから商品を購入する商品購入決済システムで、ユーザは、商品購入に際しては、店舗サーバから取得し携帯端末に表示した商品一覧情報から、購入する商品を選択し、選択した商品の購入ボタンをクリック操作することにより商品の購入処理を行い、ユーザの携帯端末には選択した商品の購入完了が表示される。【選択図】図２
2013077100.tif 000002
【特許請求の範囲】
【請求項１】
オンラインショッピングのサービスを提供する店舗サーバと、
クレジット決済のサービスを提供する決済サーバと、
決済サーバと店舗サーバからのサービスを通信回線により受けるユーザの携帯端末とから成り、これら店舗サーバと決済サーバとユーザの携帯端末とは通信回線でネットワーク化され、
ユーザが携帯端末にて、決済サーバからクレジットカード用アカウントと、店舗サーバから店舗用アカウントとを取得して、店舗サーバから商品を購入する商品購入決済システムで、
ユーザは、商品購入に際しては、店舗サーバから取得し携帯端末に表示した商品一覧情報から、購入する商品を選択し、選択した商品の購入ボタンをクリック操作することにより商品の購入処理を行い、
ユーザの携帯端末には選択した商品の購入完了が表示されることを特徴とする商品購入決済システム。
【請求項２】
ユーザは、商品購入に際しては、店舗サーバから取得し携帯端末に表示した商品一覧情報から、購入する商品を選択し、選択した商品の購入ボタンをクリック操作することにより、
ユーザの携帯端末が決済サーバに接続して、決済サーバからユーザの最新のクレジットカードユーザ情報がユーザの携帯端末に送信され、このクレジットカードユーザ情報と店舗用アカウントと購入商品ＩＤとが店舗サーバに送信され、店舗サーバでは、このユーザの店舗用アカウントでユーザ認証が確認され、確認後に店舗用サーバと決済サーバとの間ではクレジットカードユーザ情報でユーザの与信照会がされ、決済サーバから与信照会結果が店舗サーバに送信され、店舗用サーバでは購入商品ＩＤで商品購入処理操作がされ、店舗サーバからユーザの携帯端末には購入完了通知が送信されて、ユーザの携帯端末には選択した商品の購入完了が表示されることを特徴とする請求項１記載の商品購入決済システムである。
【請求項３】
ユーザは、クレジットカード用アカウントを携帯端末から決済サーバに送信することにより、決済サーバよりクレジットカードユーザ情報を取得し、ユーザの携帯端末に表示され、このクレジットカードユーザ情報から履歴ボタンをクリック操作することにより、決済サーバより履歴情報を取得し携帯端末に表示できる請求項１、２記載の商品購入決済システム。
【請求項４】
ユーザは、クレジットカード用アカウントを携帯端末から決済サーバに送信することにより、決済サーバよりクレジットカードユーザ情報がユーザの携帯端末に表示され、このクレジットカードユーザ情報からユーザのクレジットカードの有効、無効操作が可能な請求項１，２、３記載の商品購入決済システム。
【請求項５】
ユーザは、商品購入に際しては、携帯端末に表示されている商品情報から、購入ボタンをクリック操作することにより、店舗サーバからユーザの携帯端末には購入完了通知が送信される際、店舗サーバと通信回線で接続するセンターサーバに、ユーザの商品購入情報を送信する請求項１，２，３、４記載の商品購入決済システム。
【請求項６】
オンラインショッピングのサービスを提供する店舗サーバと、
オンラインショッピングにおけるクレジット決済のサービスを提供する決済サーバとが結合した１の情報源から成る請求項１，２，３，４、５記載の商品購入決済システム。
【発明の詳細な説明】
【技術分野】
【０００１】
本発明は携帯端末、例えば、パーソナルコンピューター、携帯電話、スマートフォン等の携帯端末からインターネットを介してオンラインショッピングで商品を購入してクレジットで支払う商品購入決済システムに関する。
【背景技術】
【０００２】
従来、例えば、オンラインショッピングにおいては、商品代金をクレジットで支払うには、使用クレジットの種類を指定した後、自分が所持するクレジットカード記載のクレジット番号、有効期限等を入力する必要があり、商品購入の際には、その都度、使用クレジットの種類の指定とクレジット番号、有効期限等を入力する必要がある。
商品購入者は、オンラインショッピングにおいてのクレジットカード情報入力時、クレジットカード番号、有効期限等がわかれば、他人であっても購入が可能なので、クレジットカード情報が他人に知られないように注意を払う必要がある。
【０００３】
この様に、オンラインショッピングにおいては、商品購入の際、その都度、クレジットカードの情報を入力する必要があり、手続が面倒で時間がかり、簡単に買い物ができず、
故に買い物をやめてしまうケースもある。
更には、オンライショッピングでのクレジットでの支払いにおける安全性確保の点から、クレジットカード情報が他人に知られないように注意を払う必要があった。
その為、オンラインショッピングでの買い物の際、商品選択の操作だけで、クレジットカードの情報を入力する必要がなければ、買い物がしやすくなりかつ安全である。
【先行技術文献】
【特許文献】
【０００４】
【特許文献１】特開２００４−１９９２６９号公報
【発明の概要】
【発明が解決しようとする課題】
【０００５】
本発明は、簡単に商品購入ができる商品購入決済システムの提供である。
【課題を解決するための手段】
【０００６】
かかる目的を達成すべく、本発明は、オンラインショッピングのサービスを提供する店舗サーバと、
クレジット決済のサービスを提供する決済サーバと、
決済サーバと店舗サーバからのサービスを通信回線により受けるユーザの携帯端末とから成り、これら店舗サーバと決済サーバとユーザの携帯端末とは通信回線でネットワーク化され、
ユーザが携帯端末にて、決済サーバからクレジットカード用アカウントと、店舗サーバから店舗用アカウントとを取得して、店舗サーバから商品を購入する商品購入決済システムで、
ユーザは、商品購入に際しては、店舗サーバから取得し携帯端末に表示した商品一覧情報から、購入する商品を選択し、選択した商品の購入ボタンをクリック操作することにより商品の購入処理を行い、
ユーザの携帯端末には選択した商品の購入完了が表示されることを特徴とする商品購入決済システムである。
ユーザは、商品購入に際しては、店舗サーバから取得し携帯端末に表示した商品一覧情報から、購入する商品を選択し、選択した商品の購入ボタンをクリック操作することにより商品の購入処理を行い、ユーザの携帯端末には選択した商品の購入完了が表示されるので、購入ボタンの１回のクリック操作だけで商品の購入処理が行われ、商品の購入が簡単にできる。
【０００７】
ユーザは、商品購入に際しては、店舗サーバから取得し携帯端末に表示した商品一覧情報から、購入する商品を選択し、選択した商品の購入ボタンをクリック操作することにより、
ユーザの携帯端末が決済サーバに接続して、決済サーバからユーザの最新のクレジットカードユーザ情報がユーザの携帯端末に送信され、このクレジットカードユーザ情報と店舗用アカウントと購入商品ＩＤとが店舗サーバに送信され、店舗サーバでは、このユーザの店舗用アカウントでユーザ認証が確認され、確認後に店舗用サーバと決済サーバとの間ではクレジットカードユーザ情報でユーザの与信照会がされ、決済サーバから与信照会結果が店舗サーバに送信され、店舗用サーバでは購入商品ＩＤで商品購入処理操作がされ、店舗サーバからユーザの携帯端末には購入完了通知が送信されて、ユーザの携帯端末には選択した商品の購入完了が表示されることを特徴とする商品購入決済システムである。
ユーザは携帯端末の表示されている商品情報の購入ボタンをクリック操作することにより、ユーザの携帯端末が決済サーバに接続して、店舗サーバでは、このユーザの店舗用アカウントでユーザ認証が確認され、確認後に店舗用サーバと決済サーバとの間ではクレジットカードユーザ情報でユーザの与信照会がされ、店舗用サーバでは購入商品ＩＤで商品購入処理操作が自動的にされるので、簡単な操作でクレジットでの支払いの安全性が担保できる。
【０００８】
好ましくは、ユーザは、クレジットカード用アカウントを携帯端末から決済サーバに送信することにより、決済サーバよりクレジットカードユーザ情報を取得し、ユーザの携帯端末に表示され、このクレジットカードユーザ情報から履歴ボタンをクリック操作することにより、決済サーバより履歴情報を取得し携帯端末に表示できる商品購入決済システムである。ユーザは履歴情報によりクレジットカード利用金額の把握ができる。
【０００９】
好ましくは、ユーザは、クレジットカード用アカウントを携帯端末から決済サーバに送信することにより、決済サーバよりクレジットカードユーザ情報がユーザの携帯端末に表示され、このクレジットカードユーザ情報からユーザのクレジットカードの有効、無効操作が可能な商品購入決済システムである。クレジットカードの有効、無効操作ができるので、ユーザは携帯端末からのクレジットカード使用に際して、不正使用が防止でき、クレジットカードの安全性が担保できる。
【００１０】
好ましくは、ユーザは、商品購入に際しては、携帯端末に表示されている商品情報から、購入ボタンをクリック操作することにより、店舗サーバからユーザの携帯端末には購入完了通知が送信される際、店舗サーバと通信回線で接続するセンターサーバに、ユーザの商品購入情報を送信する商品購入決済システムである。センターサーバに商品購入情報が送信されると、センターサーバでの商品購入情報の入手が容易にできる。
【００１１】
好ましくは、オンラインショッピングのサービスを提供する店舗サーバと、
オンラインショッピングにおけるクレジット決済のサービスを提供する決済サーバとが結合した１の情報源から成る商品購入決済システムである。ユーザは、携帯端末に１の情報源を取得することにより、その１の情報源により、決済サーバと店舗サーバとに接続することができるので、容易に商品購入決済が行える。
【発明の効果】
【００１２】
本発明によれば、ユーザは携帯端末の表示されている商品情報の購入ボタンをクリック操作することにより、ユーザの携帯端末には購入完了が表示され、1回のクリック操作で商品購入ができるので、簡単に商品購入ができる。
【図面の簡単な説明】
【００１３】
【図１】本発明に係る商品購入決済システムのユーザと決済サーバとの関係を示すフローチャートである。
【図２】本発明に係る商品購入決済システムにおける商品購入の際のユーザ、決済サーバ、店舗サーバとの関係を示すフローチャートである。
【発明を実施するための形態】
【００１４】
本発明に係る商品購入決済システムにつき、図1，2に基づき説明する。
店舗サーバＥ（図ではＥＣ事業者と記載）はオンラインショッピングのサービスを提供するサーバで、決済サーバＣ（図ではクレジットカード会社と記載）はオンラインショッピングにおいてクレジット決済のサービスを提供するサーバで、これら店舗サーバＥと決済サーバＣからのサービスを通信回線により受けるユーザの携帯端末Ｕ（図ではスマートフォンと記載）からなり、これら店舗サーバＥ、決済サーバＣ、携帯端末Ｕは通信回線によりネットワーク化されている。通信回線によりネットワーク化されているが、有線に限らず無線であっても良い。携帯端末としてスマートフォンで説明するが、スマートフォンに限られず、携帯電話、高機能性モバイル端末等であっても良い。
【００１５】
本実施例では店舗サーバＥ、決済サーバＣは1箇所の場合につき説明するが、これらは複数個所であっても良く、複数個所の店舗サーバＥ、決済サーバＣの際には、これら複数の店舗サーバＥ、決済サーバＣとユーザの携帯端末Ｕはネットワーク化されていることは勿論である。
【００１６】
ユーザは商品購入に際しては、複数の決済サーバＣ、即ち、複数のクレジットカード会社から希望のクレジットカード会社の選択ができ、また、店舗サーバＥについても、複数の店舗サーバＥから希望の店舗の選択ができることは言うまでもない。
例えば、ユーザがアプリケーションマーケットより、クレジットカード会社である決済サーバのアプリケーションを入手した際、その入手したアプリケーションには、１のクレジットカード会社と１の店舗サーバの情報が表示されていても、１のクレジットカード会社と複数の店舗サーバの情報が表示されていても良い。
本実施例では、ユーザがアプリケーションマーケットより、クレジットカード会社である決済サーバのアプリケーションを入手した際、その入手したアプリケーションには、１のクレジットカード会社と１の店舗サーバの情報が表示されている場合について説明する。
【００１７】
最初に、決済サーバＣとユーザの携帯端末Ｕとの関係につき説明する。ユーザは、クレジットカードを既に取得している際には、アプリケーションマーケットより、クレジットカード会社である決済サーバＣのアプリケーションを入手し、決済サーバＣに接続する際にはクレジットカード取得時に発行されたクレジットカード用アカント（認証ID、パスワード等）の入力操作を行う。このアプリケーションには、この様に、ユーザが携帯端末Ｕから、クレジットカード用アカントを入力できる機能が有る。
このアプリケーションには、前述したように、店舗サーバの情報が入っており、携帯端末Ｕには、クレジットカード会社と店舗サーバを表示することができる機能を有している。
【００１８】
なお、ユーザがクレジットカードを取得していない際には、アプリケーションマーケットから、クレジットカード会社である決済サーバＣのアプリケーションを入手し、そのアプリケーションから新規申し込みをすることにより、ユーザの登録が行われ、クレジットカード用アカントを取得することができる。この様に、このアプリケーションには新規の場合には新規に申し込むことができる機能がある。
【００１９】
図1により、ユーザが決済サーバＣに接続する際の操作につき説明すると、ユーザは携帯端末Ｕの表示部（Ｕ１）にクレジットカード用アカントを登録（Ｓ１）して決済サーバＣに送信（Ｓ２）すると、決済サーバＣのクレジットユーザマスタ（Ｃ１）において、ユーザのクレジットカード用アカントの認証が行われ（Ｓ３）、クレジットカードユーザ情報がユーザの携帯端末Ｕに送信され（Ｓ４）、クレジットカードユーザ情報が携帯端末Ｕの表示部（Ｕ２）に表示される（Ｓ５）。クレジットカードユーザ情報としては、例えば、カード番号、名義、有効期限、残高である。
この様に、携帯端末Ｕには、表示部（Ｕ１）にクレジットカード用アカントを登録（Ｓ１）して送信（Ｓ２）することができる機能、クレジットカードユーザ情報が携帯端末Ｕの表示部（Ｕ２）に表示する（Ｓ５）機能がある。
また、決済サーバＣのクレジットユーザマスタ（Ｃ１）には、ユーザのクレジットカード用アカントの認証を行なう（Ｓ３）機能、クレジットカードユーザ情報をユーザの携帯端末Ｕに送信する（Ｓ４）機能が有る。
【００２０】
クレジットカードユーザ情報が携帯端末Ｕの表示部（Ｕ２）に表示されるが（Ｓ５）、この表示部（Ｕ２）から、カードの有効、無効の操作ができる。無効と操作すると、カードの第三者の不正利用が防止でき、安全性の担保が図られる。
具体的には、表示部（Ｕ２）から、カードの有効・無効操作ができる表示部（Ｕ１０）を表示する。この表示部（Ｕ１０）からカードの有効・無効ボタンをクリック操作する（Ｓ３５）と、決済サーバＣのクレジットカードマスタ（Ｃ１）によりカードの有効・無効更新処理がされ（Ｓ３６）、更新結果が携帯端末Ｕに送信される（Ｓ３７）、携帯端末Ｕの表示部（Ｕ１１）に更新結果が表示される（Ｓ３８）。
この様に、携帯端末Ｕには、クレジットカードユーザ情報が携帯端末Ｕの表示部（Ｕ２）に表示する（Ｓ５）機能、この表示部（Ｕ２）から、カードの有効・無効操作ができる表示部（Ｕ１０）を表示する機能、この表示部（Ｕ１０）からカードの有効・無効ボタンをクリック操作する（Ｓ３５）ことができる機能、携帯端末Ｕの表示部（Ｕ１１）に更新結果が表示される（Ｓ３８）機能も有している。
決済サーバＣのクレジットカードマスタ（Ｃ１）には、カードの有効・無効更新処理がされる（Ｓ３６）機能、更新結果が携帯端末Ｕに送信される（Ｓ３７）機能を有している。
【００２１】
また、この表示部（Ｕ２）から、履歴ボタンをクリック操作すると（Ｓ６）、決済サーバＣの履歴マスタ（Ｃ２）からユーザの履歴が取得でき（Ｓ７）、履歴情報がユーザの携帯端末に送信される（Ｓ８）。その結果、ユーザの携帯端末Ｕの表示部（Ｕ３）に履歴が表示される。ユーザは履歴により金銭の出納が一覧表で見ることができ、金銭管理が容易に行える。
この様に、ユーザの携帯端末Ｕには、クレジットカード用アカウントを登録（Ｓ１）、これを決済サーバＣへ送信（Ｓ８）、携帯端末Ｕの表示部にクレジットカードユーザ情報の表示（Ｓ５）、履歴表示の入手、そして、携帯端末Ｕの表示部（Ｕ３）への履歴情報の表示（Ｓ９）をすることができる機能を有している。
また、決済サーバＣにはクレジットカード用アカウントの認証（Ｓ３）、クレジットカードユーザ情報の送信（Ｓ４）、履歴取得、履歴情報の送信（Ｓ８）する機能を有している。
【００２２】
次に店舗サーバＥとユーザの携帯端末Ｕとの関係につき説明する。ユーザは、前述したアプリケーションマーケットより、クレジットカード会社のアプリケーションを入手すると、そのアプリケーションには店舗サーバＥの情報が入っており、この店舗サーバＥに接続する際には店舗用アカント（認証ID、パスワード等）の入力操作を行う。このアプリケーションには、この様に、ユーザが携帯端末Ｕから、店舗用アカントを入力できる機能が有る。
ユーザが店舗用アカウントを取得していない際には、新規申し込みをすることにより、ユーザの登録が行われ、店舗用アカントを取得することができる。この様に、このアプリケーションには新規の場合には新規に申し込むことができる機能がある。
【００２３】
次に、図2に基づいて商品購入操作につき説明する。
ユーザの携帯端末Ｕと決済サーバＣ、店舗サーバＥとの関係は、ユーザがクレジットカード用アカント、店舗用アカウントを入手している状態で説明する。ユーザは携帯端末Ｕに店舗用アカウントを登録する表示部（Ｕ４）を表示し、ここのユーザの店舗用アカントを登録（Ｓ１０）して送信すると（Ｓ１１）、店舗サーバＥのＥＣユーザマスタ（Ｅ１）において、店舗用アカウントの認証が行われ（Ｓ１２）、店舗用アカウントの認証結果がユーザへ送信される（Ｓ１３）。
ユーザの携帯端末Ｕには、店舗用アカウントを登録する表示部（Ｕ４）を表示する機能、このユーザの店舗用アカントを登録（Ｓ１０）して送信する機能（Ｓ１１）がある。
店舗サーバＥには、店舗用アカウントの認証が行われる（Ｓ１２）機能、店舗用アカウントの認証結果がユーザへ送信される（Ｓ１３）機能を有している。
【００２４】
店舗サービスが有効であることがユーザに送信され（Ｓ１４）、携帯端末Ｕの表示部（Ｕ５）には店舗名が表示され、ユーザは店舗サービスを選択でき（Ｓ１５）、携帯端末Ｕの表示部（Ｕ６）には選択した店舗名が表示される。
携帯端末Ｕには、この様に、店舗サービスが有効であることがユーザに送信される（Ｓ１４）機能、携帯端末Ｕの表示部（Ｕ５）には店舗名が表示される機能、ユーザは店舗サービスを選択できる（Ｓ１５）機能、携帯端末Ｕの表示部（Ｕ６）には選択した店舗名が表示される機能が有る。
店舗サーバＥでは、商品一覧が取得でき（Ｓ１６）、その商品一覧が店舗サーバＥのＥＣ商品マスタ（Ｅ２）からユーザの携帯端末Ｕに送信される（Ｓ１７）。店舗サーバＥには、商品一覧が取得できる（Ｓ１６）機能、その商品一覧が店舗サーバＥのＥＣ商品マスタ（Ｅ２）からユーザの携帯端末Ｕに送信される（Ｓ１７）機能が有る。
ユーザの携帯端末Ｕにはその表示部（Ｕ７）にＥＣ商品一覧が表示され（Ｓ１８）、ユーザは商品を選択する（Ｓ１９）と、店舗サーバＥの商品マスタ（Ｅ２）から商品詳細（Ｓ２０）がユーザの携帯端末Ｕに送信され（Ｓ２１）、ユーザの携帯端末Ｕには表示部（Ｕ８）に商品詳細が表示される（Ｓ２２）。
ユーザの携帯端末Ｕには、その表示部（Ｕ７）にＥＣ商品一覧が表示される（Ｓ１８）機能、ユーザは商品を選択する（Ｓ１９）機能、店舗サーバＥの商品マスタ（Ｅ２）から商品詳細（Ｓ２０）がユーザの携帯端末Ｕに送信され（Ｓ２１）、ユーザの携帯端末Ｕには表示部（Ｕ８）に商品詳細が表示される（Ｓ２２）機能を有している。
また、店舗サーバＥには、店舗サーバＥの商品マスタ（Ｅ２）から商品詳細（Ｓ２０）を取得する機能、これをユーザの携帯端末Ｕに送信する（Ｓ２１）機能が有る。
【００２５】
ユーザは購入ボタンをクリック操作すると（Ｓ２３）、ユーザの携帯端末Ｕが決済サーバＣに接続し、決済サーバＣへのユーザの最新クレジットカードユーザ情報取得（Ｓ２４）となり、決済サーバＣのクレジットユーザマスタ（Ｃ１）からクレジットカードユーザ情報がユーザに送信される（Ｓ２５）。
ユーザの携帯端末Ｕには、購入ボタンをクリック操作する（Ｓ２３）機能、このクリック操作によりユーザの携帯端末Ｕが決済サーバＣに接続する機能が有り、決済サーバＣには、ユーザの最新クレジットカードユーザ情報取得（Ｓ２４）できる機能、決済サーバＣのクレジットユーザマスタ（Ｃ１）からクレジットカードユーザ情報がユーザに送信される（Ｓ２５）機能を有している。
【００２６】
ユーザの携帯端末Ｕにおいて、クレジットカードユーザ情報を受信すると（Ｓ２６）、ユーザの携帯端末Ｕから、クレジットカードユーザ情報と店舗用アカウントと購入商品ＩＤと購入商品の個数が店舗サーバＥに送信される（Ｓ２７）。
ユーザの携帯端末Ｕには、クレジットカードユーザ情報を受信する（Ｓ２６）機能、ユーザの携帯端末Ｕから、クレジットカードユーザ情報と店舗用アカウントと購入商品ＩＤと購入商品の個数が店舗サーバＥに送信する（Ｓ２７）機能が有る。
【００２７】
店舗サーバＥでは、クレジットカードユーザ情報と店舗用アカウントと購入商品ＩＤと購入商品の個数を受信し（Ｓ２８）、この情報により、決済サーバＣにオーソリゼーション（Ｓ２９）をする。
決済サーバＣではクレジットユーザマスタ（Ｃ１）により、カードユーザの与信照会が行われ（Ｓ３０）、その与信照会結果が店舗用サーバＥに送信される（Ｓ３１）。
店舗サーバＥには、クレジットカードユーザ情報と店舗用アカウントと購入商品ＩＤと購入商品の個数を受信する（Ｓ２８）機能、この情報により、決済サーバＣにオーソリゼーション（Ｓ２９）する機能が有る。
また、決済サーバＣには、カードユーザの与信照会が行われ（Ｓ３０）機能、その所信照会結果が店舗用サーバＥに送信する（Ｓ３１）機能を有している。
【００２８】
店舗サーバＥにおいて、購入処理が行われる（Ｓ３２）と、購入完了通知がユーザの携帯端末Ｕへ送信される（Ｓ３３）。
なお、与信照会結果がＮＯの場合には、購入処理は行われず、購入未完了通知がユーザに送信される。
店舗サーバＥには、与信照会結果のＯＫ・ＮＯを判断する機能、与信照会がＯＫと判断すると、購入処理を行う（Ｓ３２）機能、その結果、購入完了通知をユーザの携帯端末Ｕへ送信する（Ｓ３３）機能、与信照会結果がＮＯの場合には、購入処理は行われず、購入未完了通知がユーザに送信される機能を有している。
そして、携帯端末Ｕでは購入完了を受信し（Ｓ３９）、その結果、ユーザの携帯端末Ｕには表示部（Ｕ９）に購入完了（Ｓ３４）がされ、商品購入操作が完了する。
携帯端末Ｕでは、購入完了を受信して（Ｓ３９）、表示部（Ｕ９）に購入完了（Ｓ３４）がされ、商品購入操作が完了するが、店舗サーバＥと接続するセンターサーバＣＳに、店舗サーバＥからユーザの携帯端末Ｕに購入完了通知が受信（Ｓ３９）される際、購入情報をセンターサーバＣＳに送信する（Ｓ４０）こともできる。かかる場合では、センターサーバＣＳでは、購入情報を受信し（Ｓ４１）、購入情報マスタ（ＣＳ１）に登録して、購入情報受信完了通知を携帯端末Ｕに送信する（Ｓ４２）。そして、ユーザの携帯端末Ｕには表示部（Ｕ９）に購入完了（Ｓ３４）がされ、商品購入操作が完了する構成とすることもできる。
ユーザの携帯端末Ｕには、購入完了を受信する（Ｓ３９）機能、この購入完了を受信する（Ｓ３９）機能では、ユーザの携帯端末Ｕには表示部（Ｕ９）に購入完了（Ｓ３４）を送信する機能と、購入情報をセンターサーバＣＳに送信する（Ｓ４０）機能とを有している。また、ユーザの携帯端末Ｕには表示部（Ｕ９）に購入完了（Ｓ３４）が表示する機能が有る。
センターサーバＣＳには、購入情報を受信する（Ｓ４１）機能、購入情報マスタ（ＣＳ１）に登録する機能、購入情報受信完了通知を携帯端末Ｕに送信する（Ｓ４２）機能が有る。
【００２９】
店舗サーバＥと接続するセンターサーバＣＳには、店舗サーバＥからユーザの携帯端末Ｕに購入完了が受信される（Ｓ３９）際、ユーザの商品購入情報が送信される（Ｓ４０）が、商品購入情報としては、商品の金額、購入商品ＩＤ、クレジットカードアカウントＩＤ、店舗用ＩＤ、購入日付、購入数量などである。
【００３０】
他の実施例としては、オンラインショッピングのサービスを提供する店舗サーバＥと、オンラインショッピングにおけるクレジット決済のサービスを提供する決済サーバＣとが結合した１の情報源から成る商品購入決済システムであっても良い。
例えば、ユーザが携帯端末Ｕにより、アプリケーションマーケットから、クレジットカード会社である決済サーバＣのアプリケーションを入手した際、このアプリケーションには決済サーバＣと店舗サーバＥとが同一表示部に表示される。この様に、同一表示部に決済サーバＣと店舗サーバＥとが表示されると、ユーザは同一表示部から決済サーバＣ、店舗サーバＥに容易に接続することができる。
同一の決済サーバＣで決済できる店舗サーバＥは複数表示することもでき、その際には、ユーザはより容易に店舗サーバＥに接続ができ、商品購入もし易くなる。
このアプリケーションでは、前述したと同様の操作・機能によって、商品購入決済ができることは言うまでもない。
【産業上の利用可能性】
【００３１】
上記では、決済の手段としては、クレジットカードの場合につき説明しているが、これに限るものではなく、例えば、プリペイドカード、デビットカード等であっても良い。
また、決済サーバＣはオンラインショッピングの場合につき説明しているが、オンラインショッピングの決済だけには限られず、例えば、旅行代金、宿泊代金などの決済であっても良い。
更に、上記ではオンラインショッピングの商品購入の場合につき説明しているが、これに限られず、商品として、例えば、旅行会社の情報、宿泊施設の情報等であっても良いことは勿論であるし、商品と旅行会社、宿泊施設などの組み合わせであっても良い。
また、ユーザは、商品購入に際しては、店舗サーバから取得し携帯端末に表示した商品一覧情報から、購入する商品を選択し、選択した商品の購入ボタンをクリック操作することにより商品の購入処理を行い、ユーザの携帯端末には選択した商品の購入完了が表示される商品購入決済システムであれば、選択した商品の購入ボタンをクリック操作することにより、ユーザの携帯端末には選択した商品の購入完了が表示される間の携帯端末、決済サーバ、店舗サーバとの構成は設計変更可能である。
１のアプリケーションに１の決済サーバ、１の店舗サーバに限られず、複数の決済サーバ、複数の店舗サーバであっても良く、店舗サーバの商品として、例えば、食品、被服、ホテル、旅行等でも良い。
【符号の説明】
【００３２】
Ｃは決済サーバ（クレジットカード会社）
Ｕはユーザの携帯端末
Ｅは店舗用サーバ
【図１】
2013077100.tif 000003
【図２】
2013077100.tif 000004